(57)【要約】【課題】計測対象負荷自体に稼働時間積算機能を設ける必要が無く、またそれに対応したソフトウエアを必要としないデータ演算システムを提供する。【解決手段】計測対象負荷において、一定時間内で一定サンプルタイミングで計測された複数個の瞬時値を既存ファイルとして記憶し、この既存ファイルをコピーして稼働時間ロギングファイルの雛形とする。稼働時間ロギングファイルから最初の瞬時値を取り出し、最初の瞬時値が判定基準値を超えているときには、最初の瞬時値を、予め設定した初期時間に一定時間を加算した稼働時間に書き換え、次の瞬時値が判定基準値を超えているときには、次の瞬時値を、前記稼働時間に前記一定時間を加算した稼働時間に書き換え、これを最後の瞬時値まで積算して行くことにより、前記稼働時間ロギングファイルを作成する。【選択図】図１
2018195123.tif 000002
【特許請求の範囲】
【請求項１】
計測対象負荷において、一定時間内で一定サンプルタイミングで計測された複数個の瞬時値を既存ファイルとして記憶し、前記既存ファイルをコピーし、稼働時間ロギングファイルの雛形として記憶する記憶部と、
前記稼働時間ロギングファイルから最初の瞬時値を取り出し、前記最初の瞬時値が判定基準値を超えているときには、前記最初の瞬時値を、予め設定した初期時間に一定時間を加算した稼働時間に書き換え、次の瞬時値が前記判定基準値を超えているときには、前記次の瞬時値を、前記稼働時間に前記一定時間を加算した稼働時間に書き換え、これを最後の瞬時値まで積算して行くことにより、前記稼働時間ロギングファイルを作成する演算部とを備えた
データ演算システム。
【請求項２】
前記演算部は、前記稼働時間ロギングファイルから、前記計測対象負荷に対応した積算稼働時間データに変換して前記記憶部に記憶する
請求項１に記載のデータ演算システム。
【請求項３】
前記演算部は、前記計測対象負荷に対応した積算稼働時間データを設備保守の閾値と比較し、前記閾値を越えたときには設備保守の時期が来たことを知らせる信号を発生する
請求項２に記載のデータ演算システム。
【発明の詳細な説明】
【技術分野】
【０００１】
本発明は、データ演算システムに関し、特に計測対象負荷の概算稼働時間を算出するシステムに関するものである。
【背景技術】
【０００２】
計測対象負荷である電力監視システムにおける、稼働時間をロギングする一般的な演算システムについて、図７を参照して以下に説明する。
電力監視システムにおける設備Ａ〜Ｃの種々の計測データは、点線で示すように、電力計測ロギングファイル１１に集められて上位の電力監視システム１２に送られる。
【０００３】
一方、稼働時間を取得するには、この例では、設備Ａ及びＢ内に稼働時間ロギング機能Ａ１及びＢ１をそれぞれ設ける。そして、これら稼働時間ロギング機能Ａ１及びＢ１で収集したデータは、それぞれ、インタフェース（Ｉ／Ｆ）ソフトＡ２及びＢ２を経由して電力監視システム１２に送られる。また、設備Ｃに関しては、稼働時間ロギング機能が設けられていない代わりに、状態監視信号出力機能として、設備Ｃに与える発停信号Ｃ１を信号変換器Ｃ２を介して発停集計ソフトＣ３で集計し、電力監視システム１２に送っている。
【０００４】
電力監視システム１２では、これらのデータから設備Ａ〜Ｃの稼働時間を算出して稼働時間積算ロギングファイル１３に格納する（例えば、特許文献１及び２参照）。
【先行技術文献】
【特許文献】
【０００５】
【特許文献１】特開２００２−２７５９４６号公報
【特許文献２】特開２００４−１０２７４４号公報
【発明の概要】
【発明が解決しようとする課題】
【０００６】
上記の従来の手法では、設備等に稼動時間積算機能又は状態監視信号出力機能が必要であり、例えば電灯やコンセントに接続する機器等の稼動時間積算機能が無い設備では、稼働時間を抽出することができない。
【０００７】
また、稼働ロギングデータを取り出すために、それぞれに対応したインターフェースソフトが必要となるか、或いは、状態監視信号を解析して稼働時間を割り出すソフトウエアを設けなければならないため、システムの構築費用が増大する。
【０００８】
様々な設備等の概算稼働時間の算出と活用においては、次のような解決すべき課題がある。
・稼働時間算出のために特化した計測項目を必要としないこと。
・既に保有している電子データ又は一般的な計量・計測環境で取得可能な電子データを利用すること。
・設備側の稼働時間積算機能に依存しないこと。
・上位システム側で電子データを使用する場合、設備別の特化した非汎用ソフトウエアを、都度製作することを回避すること。
・計測している全ての設備に対応できること。
・算出したデータは、機能追加対象の従来システムが保有するソフトウエアで帳票やグラフの作成時に、容易に取扱うことができること。
【０００９】
本発明は、上記のような課題を解決するためになされたものであり、計測対象負荷自体に稼働時間積算機能を設ける必要が無く、またそれに対応したソフトウエアを必要としないデータ演算システムを提供することを目的とする。
【課題を解決するための手段】
【００１０】
上記の目的を達成する為、本発明に係るデータ演算システムは、計測対象負荷において、一定時間内で一定サンプルタイミングで計測された複数個の瞬時値を既存ファイルとして記憶し、前記既存ファイルをコピーし、稼働時間ロギングファイルの雛形として記憶する記憶部と、前記稼働時間ロギングファイルから最初の瞬時値を取り出し、前記最初の瞬時値が判定基準値を超えているときには、前記最初の瞬時値を、予め設定した初期時間に一定時間を加算した稼働時間に書き換え、次の瞬時値が前記判定基準値を超えているときには、前記次の瞬時値を、前記稼働時間に前記一定時間を加算した稼働時間に書き換え、これを最後の瞬時値まで積算して行くことにより、前記稼働時間ロギングファイルを作成する演算部とを備えている。
【発明の効果】
【００１１】
本発明では、計測対象負荷において、一定時間内で一定サンプルタイミングで計測された複数個の瞬時値を既存ファイルとして記憶し、この既存ファイルをコピーして稼働時間ロギングファイルの雛形とし、各瞬時値が判定基準値を超えているときには、稼働時間に一定時間を加算した稼働時間に順次書き換えることにより、稼働時間ロギングファイルを作成するように構成したので、下記の効果が得られる。
【００１２】
・設備等から測定可能な計測項目を用いるため、稼働時間ロギング機能を持たない設備や一般電灯、コンセント負荷などの概算稼働時間が算出可能となり様々な用途で活用できる。
・設備側の仕様に依存しないため、設備毎に特化したインタフェースの開発が不要となる。
・該当システムが保有する集計、分析等のソフトウエアを活用して構築可能なため、低コスト化を実現できる。
・積算値のロギングファイルを作成するため、総稼働時間、時系列稼働時間、及び特定期間の稼働時間を把握することができる。
・判定値に段階を持たせることが可能なため、稼動時の運転モード（高・低等）の記録も可能となる。
・稼働時間をパラメータに加えることで、ターゲットとなる既存システムの分析力の強化が可能となる。
・稼働時間トレンドを用いることで、パルス計量方式では詳細把握できなかった使用電力量のトレンド等を、実際の稼働状況に近似なトレンドとして把握することが可能となる。
【図面の簡単な説明】
【００１３】
【図１】電力監視システムを例にした本発明に係るデータ演算システムの基本構成例を示したブロック図である。
【図２】本発明の実施の形態１によるデータ演算システムにおける演算部で実行される、稼働時間積算値の算出と、積算ロギングファイルの作成を概略的に示したフローチャートである。
【図３】図２のフローチャートに示す本発明の実施の形態１により記憶部に記憶されるファイルの概略図であり、同図（ａ）は既存ファイルを示し、同図（ｂ）は既存ファイルから作成される稼働時間ロギングファイルを示す。
【図４】本発明に係るデータ演算システムにおいて、１分間周期の電力瞬時値と稼働時間積算値との関係を示したグラフである。
【図５】設備保全での活用イメージとして、稼働時間積算値による設備点検と電灯交換の目安を示したグラフである。
【図６】パルス計量電力量を稼働時間を活用して按分した近似トレンドを求めたグラフであり、同図（ａ）は従来例を示し、同図（ｂ）は本発明例を示す。
【図７】電力監視システムを例にした従来のデータ演算システムの構成例を示したブロック図である。
【発明を実施するための形態】
【００１４】
以下、本発明に係るモータ制御装置の実施の形態を、上記の添付図面を参照して詳細に説明する。
【００１５】
実施の形態１．
本実施の形態１によるデータ演算システムは、図１に示すように、設備Ａ〜Ｃの側に稼働時間積算機能を設けず、設備Ａ〜Ｃで使用した電力値、電流値、出力した水量、変動した温度等のデータを電力計測データロギングファイル１に一旦格納する。そして、これらのデータを、電力監視システム２は、稼働時間積算ロジック２０により、判定用データファイル３を使用して稼働時間積算ロギングファイル４を作成する。なお、後述する演算部及び記憶部は、特に図示していないが、稼働時間積算ロジック２０中に設けられている。
【００１６】
このようなデータ演算システムの具体的な動作を、演算部で実行される図２に示すフローチャート、及び記憶部に記憶される図３に示すファイルを参照して説明する。なお、以下の処理は、設備Ａ〜Ｃの内の一設備において実行されるものである。
【００１７】
また、これらの稼働時間や稼動モードの時系列トレンドも既存システムが保有するソフトウエアで、他のデータと同様に扱えるようにするため、これら算出した稼働時間累計値は、他のデータと同様のサンプリング周期で、且つ同様の形態で保存する。なお、時系列トレンドについては、後述する。
【００１８】
まず、図２のステップＳ１では、図３（ａ）に示す既存システムのロギングファイルとして、例えば、既存の電力データ１分間分のファイルを、電力計測データロギングファイル１から取得する。そして、このファイルを複写して、同図（ｂ）に示す稼働時間ロギングファイルの雛形を作成する。
【００１９】
ステップＳ２では、図３（ｂ）に示す稼働時間ロギングファイルにおける積算値１を求めるための初期値を設定する。最初は予めデフォルト値を用意すればよいが、２回目以降は、例えば、前回の稼働時間ロギングファイルより稼働時間積算値を取り出して初期値とする。
【００２０】
ステップＳ３では、コピーした図３（ｂ）に示す稼働時間ロギングファイルから、瞬時値を取り出す。すなわち、最初は瞬時値１を取り出す。
【００２１】
ステップＳ４では、その取り出した瞬時値１と、判定用データファイル３から得られる判定基準値とを比較する。その結果、瞬時値１＞判定基準値であれば（Ｙｅｓ）、稼働時間ロギングデータとして使用するため、ステップＳ５に進むが、瞬時値１≦判定基準値であれば（Ｎｏ）、稼働時間ロギングデータとしては使用できないので、ステップＳ３に戻る。
【００２２】
なお、上記の判定基準値は、実測データを使うので簡単かつ正確に決定でき調整し易いものであることが好ましい。判定用データはファイル３に登録されるので、記録されている実測値と設備の状態を照らし合わせれば、容易に調整及び変更することができる。
【００２３】
ステップＳ５では、瞬時値１は今回のファイルデータとしては最初のものであるから、初期値である初期稼働時間に１分を加算し，稼働時間積算値１とする。
【００２４】
そして、稼働時間ロギングファイルの瞬時値１を上記の稼働時間積算値１に書き換える。
【００２５】
次に、ステップＳ３に戻って、今度は瞬時値２を図３（ｂ）の稼働時間ロギングファイルから取り出し、上記と同様にステップＳ４〜６を実行することにより、瞬時値２が判定基準値より大きければ、稼働時間積算値１に１分を加算して稼働時間積算値２とし、瞬時値２を書き換える。
【００２６】
この後は、瞬時値５９に至るまで、ステップＳ３〜Ｓ６を同様に実行することにより、図３（ｂ）の稼働時間ロギングファイルは完成する。なお、図示の例は、瞬時値１〜３までが積算値１〜３に書き換えられたことを示している。
【００２７】
図４には、上記の瞬時値と稼働時間積算値（積算稼働時間）とが、それぞれ、太点線及び細点線で示されている。なお、太実線は、高負荷稼働時間を併せて示したものである。
【００２８】
図５には、設備Ａ〜Ｃについて個々に稼働時間を積算したグラフが示されており、これらの設備の保守の目安（閾値）は１２０００時間であり、演算部は、この稼働時間積算値が１２，０００時間を超えたときには、保守の時期が到来したことを示す信号を発生することができる。
【００２９】
また、電灯に関しても、稼働時間を積算することができ、この稼働時間積算値が、目安（閾値）としての８，０００時間を超えたときには、電灯を交換する時期が到来したことを示す信号を発生することができる。
【００３０】
ここで、上記の様にして求めた稼働時間の積算値は、従来では、図６（ａ）に示すように、１００ｋＷｈになるまでは計量されないため、同図の実計測値のグラフは、極めて荒いトレンドとなり、負荷の低い時間帯に大きな負荷があるように見える場合もある。
そこで、同図（ｂ）に示すように、１００ｋＷｈ／１ｐｕｌｓｅのメータによる実計測を、稼働時間按分で近似トレンドを求めることにより、実際に近いトレンドを把握することができる。
【産業上の利用可能性】
【００３１】
従来より、電力監視システムでは、エネルギー使用状況の把握のために、受電盤、分電盤等にセンサーを設置して、各設備への供給電力量、電力、電流等を計測しているが、これらの計測値を、保全管理用に特定のサンプリング周期でロギングしたデータとして保存している。これらの保存されたデータを、日報、月報等の帳票、トレンドグラフ、統計表等を作成し、エネルギー使用の実態を分析することで、省エネ、節電の推進、生産管理、設備計画等の様々な用途で活用できる。
【００３２】
この中で、各設備（製造ライン設備、空調設備等）の稼働時間、稼動トレンドを考慮することは非常に有効となるが、設備側に稼働時間ロギング機能がないもの、あっても中央監視システムとインタフェースできず容易にデータの収集ができないため解析が行えない場合がほとんどであった。
【００３３】
そこで、本発明では、監視システムの分析用アプリケーションの１つとして電力、電流等の瞬時値データから概算稼働時間を積算する演算を行うことで、稼働時間ロギング機能が無い設備の稼働時間の他、電灯やコンセントの負荷に対する稼働時間を求めることが可能となり、各種監視、分析に活用できるものとした。
【符号の説明】
【００３４】
１  電力計測データロギングファイル、２  電力監視システム、２０  稼働時間積算ロジック、３  判定用ファイル、４  稼働時間積算ロギングファイル、Ａ〜Ｃ  設備。
【図１】
2018195123.tif 000003
【図２】
2018195123.tif 000004
【図３】
2018195123.tif 000005
【図４】
2018195123.tif 000006
【図５】
2018195123.tif 000007
【図６】
2018195123.tif 000008
【図７】
2018195123.tif 000009